(57)【要約】【課題】防犯性が高く、搬送路の構成が簡易な紙幣取扱装置を提供する。【解決手段】紙幣を取扱う紙幣取扱装置であって、金庫外に配置される入出金部と、金庫内に配置される判別部と、一時保管庫と、紙幣収納庫と、複数の分岐部と、複数の搬送路と、を備える搬送部であって、入出金部と、判別部と、一時保管庫と、紙幣収納庫との間で、分岐部によって紙幣を搬送する搬送路を切替える搬送部と、を備え、入出金部と紙幣収納庫とを判別部を経由して接続する第１搬送路と、第１搬送路の入出金部と判別部との間に配置された第１分岐部と、判別部と紙幣収納庫との間に配置された第２分岐部と、を接続する第２搬送路と、第１搬送路の第１分岐部と判別部との間に配置された第３分岐部と、一時保管庫とを接続する第３搬送路と、を備え、第１搬送路の第１分岐部は、金庫内に配置される。【選択図】図４
2016110171.tif 000002
【特許請求の範囲】
【請求項１】
一部が金庫に収容される紙幣取扱装置であって、
前記金庫外に配置され、利用者との間で前記紙幣の授受をするための入出金部と、
前記金庫内に配置され、前記紙幣を判別する判別部と、
前記金庫内に配置され、前記判別部により判別された紙幣を一時的に保管する一時保管庫と、
前記金庫内に配置され、前記紙幣を収納する紙幣収納庫と、
複数の分岐部と、複数の搬送路と、を備える搬送部であって、前記入出金部と、前記判別部と、前記一時保管庫と、前記紙幣収納庫との間で、前記分岐部によって前記紙幣を搬送する搬送路を切替える搬送部と、
を備え、
前記入出金部と前記紙幣収納庫とを前記判別部を経由して接続する第１搬送路と、
前記第１搬送路の前記入出金部と前記判別部との間に配置された第１分岐部と、前記判別部と前記紙幣収納庫との間に配置された第２分岐部と、を接続する第２搬送路と、
前記第１搬送路の前記第１分岐部と前記判別部との間に配置された第３分岐部と、前記一時保管庫とを接続する第３搬送路と、
を備え、
前記第１搬送路の前記第１分岐部は、前記金庫内に配置された、紙幣取扱装置。
【請求項２】
請求項１記載の紙幣取扱装置において、
前記金庫内に配置され、前記判別部によって、前記紙幣取扱装置において受け入れ不可と判別された前記紙幣を一時的に保管する第２の一時保管庫を備え、
前記搬送部は、
前記第１搬送路の前記第３分岐部と前記判別部との間に配置された第４分岐部と、前記第２の一時保管庫とを接続する第４搬送路を備える、紙幣取扱装置。
【請求項３】
請求項１または請求項２に記載の紙幣取扱装置において、
前記金庫内に配置され、前記判別部において判別された紙幣を収納する第２の紙幣収納庫を備え、
前記搬送部は、
前記第１の搬送路の前記判別部と前記紙幣収納庫との間に配置された第５分岐部と、前記第２の紙幣収納庫とを接続する第５搬送路を備える、紙幣取扱装置。
【請求項４】
請求項１から請求項３までのいずれか一項に記載の紙幣取扱装置において、
前記金庫外に配置され、少なくとも前記紙幣収納庫との間で、前記紙幣を授受するための装填回収庫を備え、
前記搬送部は、
前記第１搬送路の前記入出金部と前記第１分岐部との間に配置された第６分岐部と、前記装填回収庫とを接続する第６搬送路を備え、
前記第６分岐部は、前記金庫外に配置された、紙幣取扱装置。
【請求項５】
請求項１から請求項４までのいずれか一項に記載の紙幣取扱装置において、
前記入出金部に投入された前記紙幣を、前記一時保管庫に一旦収納した後に前記紙幣収納庫に収納する場合と、前記入出金部に投入された前記紙幣を、前記一時保管庫に収納せず前記紙幣収納庫に収納する場合とで、前記判別部内を搬送される紙幣の搬送方向が異なる、紙幣取扱装置。
【発明の詳細な説明】
【技術分野】
【０００１】
本発明は、紙幣取扱装置に関する。
【背景技術】
【０００２】
従来、金融機関等で使用される現金自動取引装置が備える紙幣取扱装置は、利用者に入金された紙幣を一枚ずつ繰り出す機能と出金紙幣を放出する機能とを有する紙幣入出金部と、入金紙幣および出金紙幣の正損等を判別する判別部と、入金した紙幣を一旦収納する一時保留部と、判別部で所定の基準に達しないリジェクト紙幣を収納するリジェクト庫と、入金紙幣を収納・保管し、出金紙幣等として繰り出すリサイクル庫と、これらの各ユニットを接続する紙幣搬送路と、を備備える。このような紙幣取扱装置では、複数のリサイクル庫を備える下部ユニットの上に、リサイクル庫以外の部分を備える上部ユニットを載置する構成が一般的になっている（例えば、特許文献１参照）。下ユニットは紙幣が収納されるリサイクル庫を複数備えるため、防犯性を考慮して金庫内に収容されることが多い。また、紙幣取扱装置には、入金処理において、入出金部から一時保留部を経由せずに直接リサイクル庫に紙幣を搬送して、集積する装置もある（例えば、特許文献２参照）。
【先行技術文献】
【特許文献】
【０００３】
【特許文献１】特開２００８−１２３０７２号公報
【特許文献２】特開２０１２−１０８８２０号公報
【発明の概要】
【発明が解決しようとする課題】
【０００４】
近年、現金自動取引装置における防犯性向上の要請から、紙幣取扱装置の上下ユニット全体を金庫内へ収容すること、金庫壁の厚みを増加すること等が検討されている。上下ユニット全体を金庫内に収容する場合、金庫壁の厚みの増加に伴い、利用者と紙幣入出金部との距離が遠くなるため、利用者の入出金の操作性が悪くなる。これに対し、上ユニットが備える構成のうち、紙幣入出金部を含む一部を除いて、金庫内に収容することにより、防犯性を向上させる方法が考えられる。しかしながら、上ユニットが備える複数の構成が、金庫の内外に分かれて配置されると、金庫内外の構成を接続するために、搬送路が複雑になるおそれがある。そこで、防犯性が高く、搬送路の構成が簡易な紙幣取扱装置が望まれていた。
【課題を解決するための手段】
【０００５】
上記課題を解決するために、本発明は、一部が金庫に収容される紙幣取扱装置であって、前記金庫外に配置され、利用者との間で前記紙幣の授受をするための入出金部と、前記金庫内に配置され、前記紙幣を判別する判別部と、前記金庫内に配置され、前記判別部により判別された紙幣を一時的に保管する一時保管庫と、前記金庫内に配置され、前記紙幣を収納する紙幣収納庫と、複数の分岐部と、複数の搬送路と、を備える搬送部であって、前記入出金部と、前記判別部と、前記一時保管庫と、前記紙幣収納庫との間で、前記分岐部によって前記紙幣を搬送する搬送路を切替える搬送部と、を備え、前記入出金部と前記紙幣収納庫とを前記判別部を経由して接続する第１搬送路と、前記第１搬送路の前記入出金部と前記判別部との間に配置された第１分岐部と、前記判別部と前記紙幣収納庫との間に配置された第２分岐部と、を接続する第２搬送路と、前記第１搬送路の前記第１分岐部と前記判別部との間に配置された第３分岐部と、前記一時保管庫とを接続する第３搬送路と、を備える。
前記第１搬送路の前記第１分岐部は、前記金庫内に配置された、紙幣取扱装置。
【発明の効果】
【０００６】
本発明によれば、利用者がアクセスする入出金部を金庫外に配置し、それ以外の構成を金庫内に配置するため、防犯性を向上させることができる。さらに、入出金部と、金庫内とが一本の搬送路で接続されており、金庫内外を接続するための開口の数を抑制することができるため、より防犯性が向上される。また、入出金部と、金庫内とが一本の搬送路で接続されており、シンプルな搬送路構成であるため、紙幣取扱装置の製造コストを低減することができる。また、本発明の搬送部の構成によれば、入金収納処理において、判別後の紙幣を一旦一時保管庫に紙幣を収納した後、再判別して紙幣収納庫に収納する処理と、判別後の紙幣を直接紙幣収納庫に収納する処理と、両方の処理を実施することができる。
【０００７】
本発明は、紙幣取扱装置以外の種々の形態で実現することも可能である。例えば、紙幣取扱装置を備える現金自動取引装置、紙幣取扱装置の製造方法、紙幣取扱装置の制御方法、その制御方法を実現するコンピュータプログラム、そのコンピュータプログラムを記録した一時的でない記録媒体（ｎｏｎ−ｔｒａｎｓｉｔｏｒｙ  ｓｔｏｒａｇｅ  ｍｅｄｉｕｍ）等の形態で実現することができる。
【図面の簡単な説明】
【０００８】
【図１】本発明の実施例１としての紙幣取扱装置を備える現金自動取引装置の外観構成を説明する説明図である。
【図２】現金自動取引装置の制御ブロック図である。
【図３】実施例１の紙幣取扱装置の断面構成を概略的に示す説明図である。
【図４】紙幣取扱装置の搬送部の構成を説明するブロック図である。
【図５】紙幣取扱装置の制御ブロックを示す。
【図６】紙幣取扱装置における入金計数処理について説明するための説明図である。
【図７】入金計数処理における受け入れ不可能な紙幣の処理について説明するための説明図である。
【図８】紙幣取扱装置における入金収納処理について説明するための説明図である。
【図９】紙幣取扱装置における出金取引処理について説明するための説明図である。
【図１０】取り忘れ紙幣の回収処理について説明するための説明図である。
【図１１】偽札収納処理について説明するための説明図である。
【図１２】実施例２における入金処理について説明するための説明図である。
【図１３】実施例３の紙幣取扱装置の断面構成を概略的に示す説明図である。
【図１４】実施例３の紙幣取扱装置の搬送部の構成を説明するブロック図である。
【図１５】実施例３の紙幣取扱装置における回収処理について説明するための説明図である。
【発明を実施するための形態】
【０００９】
以下、実施例を図面を用いて説明する。
【００１０】
Ａ．実施例１：
Ａ−１．現金自動取引装置（ＡＴＭ）の構成：
図１は、本発明の実施例１としての紙幣取扱装置を備える現金自動取引装置の外観構成を説明する説明図である。図１では、紙幣取扱装置１００の使用態様の一例として、スタンドアロン設置型の現金自動取引装置１０１に紙幣取扱装置１００が内蔵された状態を示している。現金自動取引装置１０１は、カード、紙幣、明細票を媒体とし、利用者の預入れ、支払、振込等の処理を行うことができる。現金自動取引装置１０１は、装置筐体１０１ｂと、紙幣取扱装置１００と、金庫Ａと、を有している。装置筐体１０１ｂは、上部に顧客操作部１０５およびカード・明細票処理機構１０２を備える。顧客操作部１０５は、取引の内容を表示したり、利用者による入力を受付ける。カード・明細票処理機構１０２は、カードスロット１０２ａと連通して利用者のカードを処理し、取引明細票を印字してカードスロット１０２ａを介して送出する。現金自動取引装置１０１の上部正面板１０１ａには、紙幣スロット２１が設けられている。紙幣取扱装置１００は、紙幣スロット２１と連通する入出金部以外は、金庫Ａ内に収容されている。金庫Ａは、数十ｍｍの厚い鉄板で構成された堅固な構造を有する。
【００１１】
図２は、現金自動取引装置の制御ブロック図である。現金自動取引装置１０１は、図示するように、紙幣取扱装置１００、カード・明細票処理機構１０２、顧客操作部１０５、インターフェース部１０７ｂ、係員操作部１０７ｃ、外部記憶装置１０７ｄ、本体制御部１０７、および電源部１０１ｅを備える。現金自動取引装置１０１において、紙幣取扱装置１００、カード・明細票処理機構１０２、顧客操作部１０５、インターフェース部１０７ｂ、係員操作部１０７ｃ、および外部記憶装置１０７ｄは、バス１０７ａを介して本体制御部１０７と接続されており、本体制御部１０７は、バス１０７ａを介して接続された各部を制御する。電源部１０１ｅは、上記各構成に電力を供給する。
【００１２】
図３は、実施例１の紙幣取扱装置の断面構成を概略的に示す説明図である。紙幣取扱装置１００は、入出金部１０と、搬送部２０と、判別部８０と、一時保管庫４０と、返却用一時保管庫５０と、収納庫７１〜７５と、回収庫９０と、を主に備える。入出金部１０及び搬送部２０の一部は、金庫Ａ外に配置され、他の構成（搬送部２０の残部、判別部８０、一時保管庫４０、返却用一時保管庫５０、収納庫７１〜７５、回収庫９０）は、金庫Ａ内に配置される。入出金部１０は、利用者が紙幣の投入または取り出しを行うためのものである。入出金部１０は、ポケット１０ａとシャッタ１０ｂとを備える。ポケット１０ａは、斜めに紙幣を置くための空間を形成する。斜めとは、水平面に対して傾いた状態を指す。搬送部２０は、複数の搬送路を備え（後に詳述する）、紙幣を搬送する。搬送路による搬送は、周知のローラ（図示しない）等を利用して実行される。判別部８０は、紙幣の金種、真偽、および正損等の判別をする。判別部８０は、紙幣の搬送方向によらず、紙幣を判別することができる。判別部８０は、真偽および正損の判別結果に基づき、入金された紙幣を返却するか受け入れるかを決定する。一時保管庫４０は、利用者が入金した紙幣を取引成立までの間、一時的に保管する。返却用一時保管庫５０は、入金された紙幣の内、受け入れ不可能と判断されたものを一時的に保管する。収納庫７１〜７５は、それぞれ、予め定められた種類の紙幣を収納する。実施例１において、収納庫７１には千円札、収納庫７２には二千円札、収納庫７３には五千円札、収納庫７４には一万円札が、それぞれ収納され、収納庫７５には、入金取引や出金取引の対象ではない紙幣が収納される。すなわち、実施例１において、収納庫７５は保管庫として使用される。収納庫は本実施例に限定されず、他の種々の金種を収納することができる。例えば、収納庫７１，７２に千円札、収納庫７３に二千円札、収納庫７４に五千円札、収納庫７５に一万円札を収納してもよいし、収納庫７１〜７３にそれぞれ、千円札、五千円札、一万円札を収納し、収納庫７４、７５を保管庫として使用してもよい。また、紙幣は日本以外の国の紙幣であってもよい。収納庫７４又は収納庫７５は、入金取引や出金取引の対象ではない紙幣を収納するための保管庫として使用されてもよい。回収庫９０は、判別部８０において偽札と判別された紙幣や、利用者が取り忘れた紙幣を収納する。
【００１３】
図４は、紙幣取扱装置の搬送部の構成を説明するブロック図である。図４において、搬送部２０は、入出金部１０、一時保管庫４０、返却用一時保管庫５０、収納庫７１〜７５、および回収庫９０の間で紙幣を搬送するための機構であり、図示されないギヤやベルトを介して駆動モータ（後述する）を用いて駆動される。
【００１４】
本実施例において、搬送部２０は、図３，４に示すように、複数の搬送路が、第１〜１１分岐部Ｇ１〜Ｇ２２を介して接続可能に構成されている。以下、第１〜１１分岐部Ｇ１〜Ｇ２２を、単に分岐部Ｇ１〜Ｇ１１とも称する。
図４に示すように、搬送部２０は、判別部８０を、貫通する搬送路２２４と、第３分岐部Ｇ３を介して搬送路２２４と接続される搬送路２１２と、第２分岐部Ｇ２を介して搬送路２２４と接続される搬送路２１４とを備え、搬送路２１２と搬送路２１４とは、第１分岐部Ｇ１を介して接続される。すなわち、搬送路２１２、２２４、および２１４は、第１分岐部Ｇ１、第３分岐部Ｇ３、および第２分岐部Ｇ２を介して、環状の搬送路を構成している。本実施例における搬送路２１４が、請求項における第２搬送路に相当する。
【００１５】
搬送部２０は、金庫Ａを貫通し、入出金部１０を、第１分岐部Ｇ１を介して搬送路２１２または搬送路２１４に接する搬送路２０１を備える。本実施例において、金庫Ａの内外を接続する搬送路は、搬送路２０１だけ（一本だけ）であるため、金庫Ａには、紙幣の搬送のための開口部が一つしか設けられないため、防犯性が高い。本実施例における搬送路２０１が請求項における第２搬送路に相当する。
【００１６】
搬送部２０は、複数の収納庫７１〜７５のそれぞれに、紙幣を振り分けて搬送するための搬送路２０Ｓを備える。搬送路２０Ｓは、第６〜１１分岐部Ｇ６〜１１と、各分岐部間を接続する搬送路２６０、２６１、２７８、２８９、２９６と、各分岐部と各収納庫とを接続する搬送路２７０、２８０、２９０、２１０、２１１と、を備える。本実施例における収納庫７１〜７５が請求項における紙幣収納庫に相当する。
【００１７】
搬送部２０は、第２分岐部Ｇ２と第７分岐部Ｇ７との間に、第５分岐部Ｇ５を介して接続される搬送路２４５、２５７を備える。本実施例における搬送路２０１、２１１、２２４、２４５、２５７、および２０Ｓと、第１分岐部Ｇ１、第３分岐部Ｇ３、第４分岐部Ｇ４、第５分岐部Ｇ５、および第７分岐部Ｇ７と、を合わせて構成される搬送路が、請求項における第１搬送路に相当する。
【００１８】
搬送部２０は、一時保管庫４０を、第３分岐部Ｇ３に接続する搬送路２２３、第４の分岐部、搬送路２３０を備える。本実施例における搬送路２３０、２２３、および第４分岐部Ｇ４を合わせて構成される搬送路が、請求項における第３搬送路に相当する。
【００１９】
搬送部２０は、第３分岐部Ｇ３と第６分岐部Ｇ６とを接続する搬送路２３６を備える。すなわち、搬送路２２３、２３６、２０Ｓおよび第４分岐部Ｇ４、第６分岐部Ｇ６は、第３分岐部Ｇ３を介して、収納庫７１〜７５を、搬送路２１２または搬送路２２４に接続する。
【００２０】
搬送部２０は、返却用一時保管庫５０を、第１１分岐部Ｇ１１を介して搬送路２０Ｓに接続する搬送路２５０を備える。本実施例における返却用一時保管庫５０が請求項における第２の一時保管庫に相当する。本実施例における搬送路２２３、２３６、２６０、２６１、および２５０と、第３分岐部Ｇ３、第６分岐部Ｇ６、第１０分岐部Ｇ１０、および第１１分岐部Ｇ１１と、を合わせて構成される搬送路が、請求項における第４搬送路に相当する。本実施例における第３分岐部Ｇ３が、請求項における第４分岐部に相当する。すなわち、本実施例における第３分岐部Ｇ３は、請求項における第３分岐部および第４分岐部の機能を有する。
【００２１】
搬送部２０は、回収庫９０を、第５分岐部Ｇ５を介して搬送路２４５または２５７に接続する搬送路２９０を備える。以下、これらの搬送路を合わせて、搬送路２００とも称する。本実施例における回収庫９０が請求項における第２の紙幣収納庫に相当し、搬送路２９０が請求項における第５搬送路に相当する。
【００２２】
図５は、紙幣取扱装置の制御ブロックを示す。紙幣取扱装置１００は、制御部１６と、入出金部１０と、判別部８０と、収納庫７１〜７５と、一時保管庫４０と、返却用一時保管庫５０と、回収庫９０と、搬送部２０と、を備える。制御部１６は、主制御部１６１と、メモリ１６２と、上位通信部１６３とを備える。主制御部１６１は、メモリ１６２を利用して、紙幣取扱装置１００を構成する各部の動作を制御したり、各部が備えるセンサからの情報（例えば収納された紙幣の数など）を取得する。主制御部１６１は、上位通信部１６３を介して、上位装置としてのＡＴＭＰＣ２００と通信する。搬送部２０は、分岐部Ｇ１〜１１と、搬送路２００と、複数の検出センサ１６５と、複数の駆動モータ１６６と、を備える（後に詳述する）。分岐部Ｇ１〜１１は、制御部１６に制御され、分岐部Ｇ１〜１１のそれぞれを介して配置される搬送路の接続先を切替える。分岐部Ｇ１〜１１は、電磁ソレノイド等によって動作する。検出センサ１６５は、紙幣の通過や搬送異常に関する検出信号を出力する。駆動モータ１６６は、紙幣を搬送するために回転する。
【００２３】
Ａ−２．入金計数処理：
図６は、紙幣取扱装置における入金計数処理について説明するための説明図である。実施例１において、入金計数処理とは、入出金部１０のポケット１０ａに投入された紙幣を対象にした真偽判別、金種判別、正損判別および計数をいう。制御部１６（図５）は、顧客操作部１０５を介して利用者からの入金指示を受信すると、出金取引処理を開始する。制御部１６は、入金取引処理を開始すると、ポケット１０ａに置かれた紙幣を、一枚ずつ、搬送路２０１に繰出す。一方で制御部１６は、第１分岐部Ｇ１を制御して搬送路２０１と搬送路２１４とを接続し、第２分岐部Ｇ２を制御して、搬送路２１４と搬送路２２４とを接続し、第３分岐部Ｇ３を制御して、搬送路２２４と２２３とを接続する。搬送路２０１に繰出された紙幣が、搬送路２１４、搬送路２２４によって搬送されつつ、判別部８０を通過する。すなわち、紙幣は、判別部８０を、図中矢印Ｚ１方向に搬送される。判別部８０は、搬送路２２４によって紙幣が判別部８０の内部を搬送されている間に、判別部８０の内部に実装されたセンサによって紙幣の画像を取得して、取得した画像に基づいて、紙幣の真偽、金種および正損を判別する。正損判別では、損傷状態が所定の基準(閾値)より良好な紙幣を正券、損傷状態が所定の基準(閾値)より悪い紙幣を損券と判別する。制御部１６は、判別部８０における判別結果に応じて第４分岐部Ｇ４の切り替えを行う。本実施例では、判別部８０において、偽券または損券と判別された場合に、受け入れ不可能な紙幣と判別する。判別部８０において、受け入れ可能な紙幣であると判別された場合、制御部１６は、第４分岐部Ｇ４を制御して、搬送路２２３を搬送路２３０に接続する。これにより、判別部８０にて受け入れ可能な紙幣であると判別された紙幣は、搬送路２２４、搬送路２２３、および搬送路２３０によって搬送され、一時保管庫４０に保管される。一方、判別部８０において、受け入れ不可能な紙幣であると判別された場合、制御部１６は、第４分岐部Ｇ４を制御して、搬送路２２３を搬送路２３６に接続すると共に、分岐部Ｇ６、Ｇ１０、Ｇ１１を制御して、搬送路２３６、２６０、２６１、２５０を、その順に接続する。これにより、判別部８０にて受け入れ不可能な紙幣であると判別された紙幣は、搬送路２２４、搬送路２２３、２３６、２６０、２６１、および搬送路２５０によって搬送され、返却用一時保管庫５０に保管される。
【００２４】
図７は、入金計数処理における受け入れ不可能な紙幣の処理について説明するための説明図である。上述の処理において、返却用一時保管庫５０に紙幣が保管された場合の続きの処理について、図７に基づいて説明する。制御部１６は、ポケット１０ａに置かれた紙幣を全て繰り出した後、返却用一時保管庫５０が備えるセンサから受信したセンサ信号に基づいて、返却用一時保管庫５０に紙幣が保管されたと判断すると、第６分岐部Ｇ６を制御して搬送路２６０と搬送路２９６とを接続すると共に、分岐部Ｇ９、Ｇ８、Ｇ７を制御して、搬送路２９６、２８９、２７８、２５７を、その順に接続する。また、第５分岐部Ｇ５を制御して搬送路２５７を搬送路２４５に接続し、第２分岐部Ｇ２を制御して搬送路２４５を搬送路２２４に接続する。そして、制御部１６は、返却用一時保管庫５０に保管された紙幣を、搬送路２５０、２６１、２６０、２９６、２８９、２７８、２５７、２４５、および２２４によって、再度、判別部８０に搬送させる。判別部８０は、上記と同様に、紙幣の真偽、金種および正損を判別する。判別部８０によって受け入れ可能と判別されると、制御部１６は、第４分岐部Ｇ４を制御して搬送路２２３と搬送路２３０とを接続し、再度の判別によって受け入れ可能と判別された紙幣を一時保管庫４０内に保管させる。一方、判別部８０によって受け入れ不可と判別されると、制御部１６は、第３分岐部Ｇ３を制御して搬送路２２４と搬送路２１２とを接続し、分岐部Ｇ１を制御して搬送路２１２と搬送路２０１とを接続して、受け入れ不可能と再び判別された紙幣を、搬送路２２４、２１２、および２９１によって搬送させて、入出金部１０に返却させる。このように、このように、一度、受け入れ不可能と判別された紙幣を、再度判別することにより、受け入れ可能な紙幣を返却する可能性が低減される。
【００２５】
制御部１６は、上述のとおり、入出金部１０に投入された全ての紙幣を処理させると、一時保管庫４０に保管された紙幣の合計金額を顧客操作部１０５(図１)に表示させる。顧客操作部１０５に表示された金額と入金した金額とが一致した旨を示す情報が、顧客操作部１０５を介して利用者から入力されると、制御部１６は、後述するように、一時保管庫４０に一時収納されていた紙幣を、収納庫７１〜７５に収納させる（入金収納処理）。
【００２６】
Ａ−３．入金収納処理：
図８は、紙幣取扱装置における入金収納処理について説明するための説明図である。上述のように、顧客操作部１０５に表示された金額と入金した金額とが一致した旨を示す情報が、顧客操作部１０５を介して利用者から入力されると、制御部１６は、分岐部Ｇ４、Ｇ３、Ｇ２、Ｇ５、およびＧ７を制御して、搬送路２３０、２２３、２２４、２４５、２５７および２０Ｓ（図４）を接続させる。制御部１６は、判別部８０によって判別された金種に基づいて、分岐部Ｇ７〜Ｇ１０を制御して、収納庫７１〜７４のそれぞれに対応する搬送路２７０、２８０、２９０、および２１０のいずれかに接続させる。これにより、一時保管庫４０内に保管された紙幣が、金種に応じて、対応する収納庫７１〜７４のいずれかに収納される。
【００２７】
Ａ−４．出金取引処理：
図９は、紙幣取扱装置における出金取引処理について説明するための説明図である。制御部１６（図５）は、顧客操作部１０５を介して利用者からの出金指示を受信すると、出金取引処理を開始する。制御部１６は、出金取引処理を開始すると、金種別に収納された収納庫７１〜７４から紙幣を一枚ずつ繰り出す。一方で制御部１６は、第５分岐部Ｇ５および第２分岐部Ｇ２を制御して、搬送路２５７、２４５、および２２４を接続する。制御部１６は、繰り出した紙幣を、搬送路２５７、２４５、および２２４を介して判別部８０に搬送する。判別部８０は、搬送された紙幣が出金可能か否かを判別する。本実施例において、出金可否は、収納庫７１〜７４から繰出された紙幣の真偽、正損、搬送異常に基づいて判別される。出金可能な紙幣であると判別された場合、制御部１６は、分岐部Ｇ３、Ｇ１を制御して、搬送路２２４、２１２、および２０１を接続し、搬送路２２４、２１２、および２０１を介して、出金可能と判別された紙幣をポケット１０ａに搬送する。 一方、出金不可能な紙幣であると判別された場合、制御部１６は、分岐部Ｇ３、Ｇ４、Ｇ６、Ｇ１０、およびＧ１１を制御して、搬送路２２４、２２３、２３６、２６０、２６１、および２１１を接続する。制御部１６は、搬送路２２４、２２３、２３６、２６０、２６１、および２１１を用いて、出金不可能と判別された紙幣を収納庫７５に収納する。出金時における紙幣の判別、及び判別結果に基づく第３分岐部Ｇ３の切り替えは、紙幣が第３分岐部Ｇ３に到達する前に完了する。出金対象の全ての紙幣がポケット１０ａに搬送された後、制御部１６は、シャッタ１０ｂを開ける。利用者がポケット１０ａに置かれた紙幣を取り去ると、制御部１６は、シャッタ１０ｂを閉じ、出金取引処理を終了する。
【００２８】
Ａ−５．取り忘れ紙幣の回収処理：
図１０は、取り忘れ紙幣の回収処理について説明するための説明図である。本実施例において、取り忘れ紙幣の回収処理は、上述の出金取引処理によってポケット１０ａに置かれた紙幣を、利用者が取り忘れた場合に、その紙幣を回収庫９０に回収する処理である。制御部１６は、紙幣がポケット１０ａに所定時間、放置された場合、ポケット１０ａから紙幣を一枚ずつ搬送路２０１へ繰り出す。一方で制御部１６は、分岐部Ｇ１、Ｇ３、Ｇ２、およびＧ５を制御して、搬送路２０１、２１２、２２４、２４５、および２９０を接続する。制御部１６は、搬送路２０１、２１２、２２４、２４５、および２９０を介してポケット１０ａ内の紙幣を回収庫９０へ搬送し、回収処理を終了する。なお、取り忘れ紙幣を、収納庫７５に収納してもよい。
【００２９】
Ａ−６．偽札収納処理：
図１１は、偽札収納処理について説明するための説明図である。上述の入金計数処理時に、判別部８０で偽札（偽券）が検出された場合に、偽札収納処理が実行される。本実施例において、入金取引処理において判別部８０が偽札を検出すると、制御部１６は、他の理由で返却する紙幣と区別して、返却用一時保管庫５０に、その紙幣を一時的に保管する。返却用一時保管庫５０は、リール、テープ、ホイール及びローラ等を備える。制御部１６は、返却用一時保管庫５０のこれらの構成を利用し、一枚ずつ紙幣を返却用一時保管庫５０に搬入すると共に、何枚目が偽札であったかをメモリ１６２に記憶することによって、偽札を他の返却紙幣と区別する。ポケット１０ａに置かれた全ての紙幣を１回ずつ判別部８０が判別すると、制御部１６は、返却用一時保管庫５０から紙幣を一枚ずつ繰り出す。偽札と判別された紙幣を繰り出した場合、制御部１６は、搬送路２５０、２６１、２６０、２３６、２２３、および２２４を用いて判別部８０へ搬送する。制御部１６は、判別部８０によって正規のものであると判別された紙幣を、搬送路２１４、２０１を用いてポケット１０ａに搬送する。判別部８０において再び偽札であると判別されると、制御部１６は、分岐部Ｇ２、およびＧ５を制御して、搬送路２２４、２４５、および２９０を接続し、再度偽札と判別された紙幣を、搬送路２２４、２４５、および２９０を介して回収庫９０へ搬送する。なお返却用一時保管庫５０や回収庫９０が実装されていない場合は収納庫７１〜７５のいずれかをそれらに代用することもできる。
【００３０】
Ａ−７．実施例の効果：
以上説明したように、実施例１の紙幣取扱装置１００では、入出金部１０と、金庫Ａ内とが一本の搬送路３１１で接続されており、金庫Ａの内外を接続するための開口の数を１つにすることができるため、複数の搬送路により金庫Ａの内外が接続される構成に比較して防犯性が向上される。また、入出金部１０と、金庫Ａ内とが一本の搬送路３１１で接続されており、シンプルな搬送路構成であるため、紙幣取扱装置１００の製造コストを低減することができる。また、入出金部が一口になっているため、入金部と出金部とを別個に設ける場合と比較して、利用者との紙幣授受時の操作性がよい装置を提供することができる。
【００３１】
Ｂ．実施例２：
図１２は、本発明に係る別の実施例における入金処理について説明するための説明図である。実施例２においては、紙幣を一時保管庫４０に保管することなく、入出金部１０から直接、収納庫７１〜７５に収納する。この手法の利点は、処理が高速化できることである。制御部１６は、分岐部Ｇ１、Ｇ３を制御して、搬送路２０１、２１２、および２２４を接続し、紙幣を矢印Ｚ２方向に判別部８０内を搬入させる。これは、実施例１の入金計数処理における搬送方向と逆方向である。制御部１６は、判別部８０から搬出された紙幣を、搬送路２４５、２５７を用いて下部（収納庫７１〜１５を備える部分）に搬送する。制御部１６は、判別部８０によって判別された金種に応じて、紙幣を収納庫７１〜７５の何れかに収納する。判別部８０で受け入れ不可能な紙幣であると判別された場合、制御部１６は、分岐部Ｇ１１を制御して搬送路２６１と搬送路２５０とを接続し、受け入れ不可能と判別された紙幣を、返却用一時保管庫５０に紙幣を保管する。その後の処理については前述のとおりである。
【００３２】
本実施例では、入金処理において一時保管庫４０を経由しない運用により、処理が高速化できるという効果が得られる。紙幣取扱装置１００において、搬送路２１２、２２４、および２１４は、第１分岐部Ｇ１、第３分岐部Ｇ３、および第２分岐部Ｇ２を介して、環状の搬送路を構成している。そのため、判別部８０に紙幣を搬入する方向が異なる搬送路を、シンプルな構成で実現することができた。その結果、紙幣取扱装置１００では入金処理において、一時保管庫４０を経由する運用（実施例１のＡ−２．入金計数処理参照）と、一時保管庫４０を経由しない運用（本実施例）との、いずれの運用も可能になった。従来は、例えば、金融機関によって管理され、顧客に対応する係員（銀行員等）の操作に応じて各種取引を行うための装置として、実施例２のような入金処理が高速化できる装置と、一般の利用者が操作する実施例１のような入金処理を行う装置とを、別個の装置として構成する場合があった。これを別個の装置として構成する場合と比較して、１つの装置で、上述の両方の入金処理に対応することができるため、製造コスト、管理コストを低減することができる。また、製造管理、維持管理等の煩雑さを軽減することができる。また、上述のような環状の搬送路を構成することにより、上記２種類の運用を実現するとともに、入出金部１０と、金庫内に配置された構成とを、一本の搬送路２１０で接続することができ、防犯性を向上させることができた。
【００３３】
Ｃ．実施例３：
次に本発明にかかる別の実施例を図１３〜１５を用いて説明する。図１３は、実施例３の紙幣取扱装置の断面構成を概略的に示す説明図である。図１４は、実施例３の紙幣取扱装置の搬送部の構成を説明するブロック図である。実施例３の紙幣取扱装置１００Ａは、実施例１の紙幣取扱装置１００に対して装填回収庫９１を金庫Ａの上面に実装した構成である。実施例１と同一の構成には、同一の符号を付して、その説明を省略する。実施例３の紙幣取扱装置１００Ａは、実施例１の紙幣取扱装置１００における搬送路２０１に換えて、搬送路３０１、３１１および第３０分岐部Ｇ３０を備える。図１４に示すように、第３実施例において、入出金部１０は、搬送路３０１、３１１および第３０分岐部Ｇ３０を介して第１の分岐部Ｇ１に接続される。装填回収庫９１は、搬送路３１０、第３０分岐部Ｇ３０を介して搬送路３１１に接続される。本実施例における搬送路３０１、３１１、２２４、２４５、２５７、および２０Ｓと、第３０分岐部Ｇ３０、第１分岐部Ｇ１、第３分岐部Ｇ３、第４分岐部Ｇ４、第５分岐部Ｇ５、および第７分岐部Ｇ７と、を合わせて構成される搬送路が、請求項における第１搬送路に相当する。また、本実施例における第３０分岐部Ｇ３０が請求項における第６分岐部に相当し、搬送路３１０が請求項における第６搬送路に相当する。
【００３４】
次に、装填処理について、図１３に基づいて説明する。紙幣取扱装置１００Ａは入金された紙幣を出金するリサイクルができるが、出金運用が多く使われる装置では、収納庫７１〜７４の出金用紙幣が少なくなる場合がある。出金用の紙幣を補充する場合、係員、警備員等が紙幣が格納されている装填回収庫９１を金庫Ａの上面にセットして、装填処理の指示を入力する。制御部は、装填処理の指示を受信すると、紙幣を搬送路３１０に一枚ずつ繰出すと共に、第３０分岐部Ｇ３０、第１分岐部Ｇ１、第３分岐部Ｇ３、第２分岐部Ｇ２、および第５分岐部Ｇ５を制御して、搬送路３１０、３１１、２１２、２２４、２４５、２５７および２０Ｓ（図１４）を接続する。制御部は、装填回収庫９１内の紙幣を、搬送路３１０、３１１、２１２、２２４、２４５、２５７および２０Ｓを介して金種毎に収納庫７１〜７４に格納させる。
【００３５】
続いて、回収処理について図１５に基づいて説明する。図１５は、実施例３の紙幣取扱装置における回収処理について説明するための説明図である。入金運用が多く使われる装置では、収納庫７１〜７４の紙幣が満杯近くになり、入金処理ができなくなる場合がある。そのため、収納庫７１〜７４から紙幣を取り除く必要がある。収納庫７１〜７４から紙幣を回収する場合、上述の装填処理と同様に、係員、警備員等が空の装填回収庫９１を金庫Ａの上面にセットして、回収処理の指示を入力する。制御部は、回収処理の指示を受信すると、第３０分岐部Ｇ３０、第１の分岐部Ｇ１、第３分岐部Ｇ３、第２分岐部Ｇ２、および第５分岐部Ｇ５を制御して、搬送路３１０、３１１、２１２、２２４、２４５、２５７および２０Ｓ（図１４）を接続する。そして、収納庫７１〜７４から紙幣を繰り出して、搬送路２０Ｓ、２５７、２４５、２２４、２１２、３１１、３１０を介して、紙幣を装填回収庫９１に収納させる。
【００３６】
第３実施例の紙幣取扱装置１００Ａにおいても、入出金部１０および装填回収庫９１と、金庫Ａ内とが一本の搬送路３１１で接続されており、金庫Ａの内外を接続するための開口の数を１つにすることができるため、より防犯性が向上される。また、入出金部１０および装填回収庫９１と、金庫Ａ内とが一本の搬送路３１１で接続されており、シンプルな搬送路構成であるため、紙幣取扱装置の製造コストを低減することができる。また、入出金部が一口になっているため利用者との紙幣授受時の操作性がよい装置を提供することができる。
【００３７】
また、紙幣を補充または回収する場合には、金庫Ａ外に装填回収庫９１をセットするだけで、紙幣の装填、回収を行うことができる。そのため、紙幣の装填、回収時に、金庫Ａを開けて収納庫７１〜７５を出し入れする作業が不要となり、作業効率を向上させることができる。
【００３８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成の一部について、他の構成の追加・削除・置換をすることが可能である。例えば、返却用一時保管庫５０、回収庫９０を備えない構成にしてもよい。収納庫７１〜７５のいずれかを、返却用一時保管庫５０、回収庫９０の代わりに用いてもよい。
【００３９】
また、上記の各構成、機能、処理部、処理手段等は、それらの一部または全部を、例えば集積回路で設計する等によりハードウェアで実現してもよい。また、上記各構成、機能等は、プロセッサがそれぞれの機能を実現するためのプログラムを解釈し、実行することによりソフトウェアで実現してもよい。各機能を実現するためのプログラム、テーブル、ファイル等の情報は、メモリや、ハードディスク、ＳＳＤ（Solid State Drive）等の記録装置、または、ＩＣカード、ＳＤカード、ＤＶＤ（登録商標）等の記録媒体に置くことができる。
【００４０】
また、制御線や情報線は説明上必要と考えられるものを示しており、製品上の制御線や情報線を必ずしも全て示しているとは限らない。実際には殆ど全ての構成が相互に接続されていると考えてもよい。
【符号の説明】
【００４１】
１０…入出金部
１０ａ…ポケット
１０ｂ…シャッタ
２１…紙幣スロット
４０…一時保管庫
５０…返却用一時保管庫
７１〜７５…収納庫
８０…判別部
８１…第１通過口
８２…第２通過口
９０…回収庫
９１…装填回収庫
１００、１００Ａ…紙幣取扱装置
１０１…現金自動取引装置
１０１ａ…上部正面板
１０１ｂ…装置筐体
１０１ｅ…電源部
１０２…明細票処理機構
１０２ａ…カードスロット
１０５…顧客操作部
１０７…本体制御部
１０７ａ…バス
１０７ｂ…インターフェース部
１０７ｃ…係員操作部
１０７ｄ…外部記憶装置
１６１…主制御部
１６２…メモリ
１６３…上位通信部
１６５…検出センサ
１６６…駆動モータ
２００…搬送路
Ａ…金庫
Ｇ１〜１１…分岐部
【図１】
2016110171.tif 000003
【図２】
2016110171.tif 000004
【図３】
2016110171.tif 000005
【図４】
2016110171.tif 000006
【図５】
2016110171.tif 000007
【図６】
2016110171.tif 000008
【図７】
2016110171.tif 000009
【図８】
2016110171.tif 000010
【図９】
2016110171.tif 000011
【図１０】
2016110171.tif 000012
【図１１】
2016110171.tif 000013
【図１２】
2016110171.tif 000014
【図１３】
2016110171.tif 000015
【図１４】
2016110171.tif 000016
【図１５】
2016110171.tif 000017